(57)【特許請求の範囲】
【請求項１】
オイル室上壁（１）の中心孔およびオイル室下壁（２）の中心孔を貫通する回転主軸（３）へ挿脱可能に嵌挿される軸スリーブ（４）の外周にダブルメカニカルシール（６）を嵌装させ、上端部内周に上部メイティリング（８Ａ）を嵌着させ下端部内部に下部メイティリング（８Ｂ）を嵌着させた態様でダブルメカニカルシール（６）の外周を円筒状のカセットケース（７）で囲繞させ、カセットケース（７）の下端面に固定座（１１）を付設しダブルメカニカルシール（６）の構成部材とカセットケース（７）の上端面および固定座（１１）の内周下端面と係止する抜け出し防止用の係止体（１４）を軸スリーブ（４）の外周に突設させ、回転主軸（３）の下端部より軸スリーブ（４）を嵌挿させることでカセットケース（７）の上端部外周がオイル室上壁（１）の中心孔へ嵌着し下端部外周はオイル室下壁（２）の中心孔へ嵌着するよう構成したことを特徴とする、電動ポンプ用カセット式ダブルメカニカルシール。
【発明の詳細な説明】
【０００１】
【発明の技術分野】
従来、電動ポンプのオイル室内へ装着されるカセット式ダブルメカニカルシールに関するものである。
【０００２】
【従来技術とその問題点】
本発明は電動ポンプに装着されるダブルメカニカルシールは図３に示すよう、上部メイティリング１０８Ａをオイル室上壁１０１の下面に嵌着して支承させ、下部メイティリング１０８Ｂをオイル室下壁１０２の上面に嵌着して支承させ、コイルスプリング１０６のバネ圧により上部シーリング１１０Ａを上部メイティリング１０８Ａに圧接させると共に下部シールリング１１０Ｂを下部メイティリング１０８Ｂに圧接させ、これら圧接部が摺動密封面を構成するように組立てられている。
【０００３】
しかしその組立には特殊な組立工具や治具等が必要であると共に作業者の熟練度が要求される。また、ダブルメカニカルシール１０６の取付長Ｈ１の精度を確保するためには、オイル室１０５の上壁１０１や下壁１０２等における軸封部材の嵌着面に高精度な研削加工を施さなければならず、上記作業者に熟練度が要求されることと相俟って電動ポンプの製造コストを押し上げる要因となっている。更にまた、ダブルメカニカルシール１０６の取外し時にシャフト１０３の外周面に傷を付ける惧れもある。
【０００４】
【発明の目的】
本発明は、ダブルメカニカルシールを電動ポンプに装着させるについて、従来のようにオイル室の上壁や下壁等における軸封部材の嵌着面に高精度な研削加工を施すことなく、ダブルメカニカルシールの取付長の精度が確保でき、また、特殊な組立工具や治具等を必要とすることなく且つ作業者の熟練度に依存することなく、ポンプの使用現場においても、非熟練者でも容易に装着できると共に取り外し時にシャフトを損傷することのない、カセット式ダブルメカニカルシールを提供することにより、作業性の向上と電動ポンプの製造コスト引き下げに寄与しようとするものである。
【０００５】
【発明の構成】
本発明に係る電動ポンプ用カセット式ダブルメカニカルシールでは、オイル室上壁の中心孔およびオイル室下壁の中心孔を貫通する回転主軸へ挿脱可能に嵌挿される軸スリーブの外周にダブルメカニカルシールを嵌装させ、上端部内周に上部メイティリングを嵌着させ下端部内周に下部メイティリングを嵌着させた態様でダブルメカニカルシールの外周を円筒状のカセットケースで囲繞させ、カセットケースの下端面に固定座を付設しダブルメカニカルシールの構成部材とカセットケースの上端面および固定座の内周下端面と係止する抜け出し防止用の係止体を軸スリーブの外周に突設させ、回転主軸の下端部より軸スリーブを嵌挿させることでカセットケースの上端部外周がオイル室上壁の中心孔へ嵌着し下端部外周はオイル室下壁の中心孔へ嵌着するよう構成した。
【０００６】
【実施例】
以下実施例の図１および図２により説明をする。
【０００７】
１はモータフレームの下壁を兼ねるオイル室上壁、２はポンプケーシングの上壁を兼ねるオイル室下壁、３はポンプモータから導下された回転主軸であり、オイル室上壁１の中心孔およびオイル室下壁２の中心孔を貫通し、その導下先端部にはポンプケーシング内の羽根車が嵌着される。４は回転主軸のオイル室５内における部分へ挿脱可能に嵌挿される軸スリーブ、６は軸スリーブ４の外周に嵌装されるダブルメカニカルシール、７は円筒状のカセットケースであり、その上端部内周に上部メイティリング８Ａを嵌着させ下端部内周に下部メイティリング８Ｂを嵌着させた態様で、ダブルメカニカルシール６の外周を囲繞する。そしてカセットケース７内においてコイルスプリング９のバネ圧により上部シーリング１０Aを上部メイティリング８Ａに圧接させると共に下部シーリング１０Ｂを下部メイティリング８Ｂに圧接させさせ、これら圧接部が摺動密封面を構成するように組立てられる。また、カセットケース７の下端面にはオイル室下壁２の裏面への固定座１１が付設されている。１２はカセットケース７の周壁要所に穿設されたオイル流通孔、１３はダブルメカニカルシール６における上下シールリング１０Ａ、１０Ｂの背向面間に介装されたスペーサ、１４は上記カセットケース７の上端面および固定座１１の内周下端面と非締結状に設けられた抜け出し防止用の係止体であり、例えば軸スリーブ４の外周に係挿されたスナップリングがダブルメカニカルシール６の構成部材に係止し、或いは軸スリーブ４の外周に凸設された段部がカセットケース７の下端面に付設された固定座１１の内周下端面と係止するなどにより、軸スリーブ４が抜け出すことを防止するのであるが、前記スペーサ１３の介装位置を利用してスナップリングを係挿させてもよい。
【０００８】
そして回転主軸３の下端部より軸スリーブ４を嵌挿させることにより、カセットケース７の上端部外周がオイル室上壁１の中心孔へ嵌着し下端部外周はオイル室下壁２の中心孔へ嵌着するので、例えばビス止め等により固定座１１をオイル室下壁２の裏面へ定着させれば、オイル室５内にカセット式ダブルメカニカルシールが装着されることになる。
【０００９】
【発明の効果】
本発明によれば、ダブルメカニカルシールがカセット化されており、従来のようにオイル室の上壁や下壁等における軸封部材の嵌着面に高精度な研削加工を施すことを要求せず、ダブルメカニカルシールの取付長の精度が確保でき、また、特殊な組立工具や治具を必要とすることなく且つ作業者の熟練度に依存することなく、ポンプの使用現場においても、非熟練者でも容易に装着できると共に取外し時にシャフトを損傷する惧れもなく、作業性の向上と電動ポンプの製造コスト引き下げにも寄与することになる。
【図面の簡単な説明】
【図１】  本発明カセット式ダブルメカニカルシールの半断面図である。
【図２】  本発明カセット式ダブルメカニカルシールを電動ポンプのオイル室内へ
装着させた状態を示す要部断面図である。
【図３】  従来のダブルメカニカルシールを装着させた電動ポンプの要部縦断側面図である。
【符号の説明】
１        オイル室上壁
２        オイル室下壁
３        回転主軸
４        軸スリーブ
６        ダブルメカニカルシール
７        カセットケース
８Ａ      上部メイテイリング
８Ｂ      下部メイテイリング
１１      固定座
１４      抜け出し防止用の係止体
【図１】
0003929756.tif 000002
【図２】
0003929756.tif 000003
【図３】
0003929756.tif 000004